(57)【要約】      （修正有）【課題】簡単な組立作業によって製造が可能な反射板構造を提供する。【解決手段】複数のスリット部１，４と折罫が形成された上面板３と、該上面板と長手方向に同一長さ、且つ幅方向に狭幅とされ複数のスリット部が形成された下面板５と、前記上面板と下面板とを対向して接続する複数の側板９とから構成され、前記上面板及び下面板の一側には取付け用突片１１が複数形成され、また前記側板の前記上面板及び下面板と接続する他側は、それぞれ前記上面板及び下面板の幅方向形状に対応する形状に形成され、且つ前記複数のスリット部に挿入する突片には切込み部が形成されている。【選択図】図１
0003166247.tif 000002
【実用新案登録請求の範囲】
【請求項１】
複数のスリットと折罫が形成された上面板と、該上面板と長手方向に同一長さ、且つ幅方向に狭幅とされ複数のスリットが形成された下面板と、前記上面板と下面板とを対向して接続する複数の側板とから構成され、前記上面板及び下面板の一側には取付け用突片が複数形成され、また前記側板の前記上面板及び下面板と接続する他側は、それぞれ前記上面板及び下面板の幅方向形状に対応する形状に形成され、且つ前記複数のスリットに挿入する突片には切込みが形成されていることを特徴とする組立反射板構造。
【請求項２】
前記上面板、下面板、側板の少なくとも一端面は何れも反射面であることを特徴とする請求項１に記載の組立反射板構造。
【考案の詳細な説明】
【技術分野】
【０００１】
本考案は、反射板構造であって、とくに防犯灯、トンネル内照明などの照明器具に取り付ける組立反射板構造に関するものである。
【背景技術】
【０００２】
近年、ＬＥＤを使用した照明器具が広く採用されている。とくに街灯などに使用される照明器具では高輝度ＬＥＤを多数使用して、必要とされる照度を確保する技術が広く採用されてきた。
【０００３】
上記のＬＥＤは、通常はプリント基板に複数のＬＥＤ素子が実装されたものであり、外部電源装置から供給される電流によってＬＥＤ素子を駆動させ、この基板の周囲の適宜箇所に設けられた反射板によって効率的に光を反射して照射する照明器具として利用されるものである。
【０００４】
しかしながら上記の反射板はプリント基板の大きさ、形状やＬＥＤ素子の配置条件に合わせて成形加工したり、ビス留めや溶接加工によって作られるものがほとんどであり、成形に必要な型の製造に多額の経費と時間とを要するものであった。しかもビス留めや溶接の際に、反射面側に傷が生じたり、溶接時の金属飛沫が付着する虞もあった。
【０００５】
そこで、電子機器を搭載する筐体を板金加工によって、簡単に組立が可能な技術が提案されている（特許文献１参照。）。
【先行技術文献】
【特許文献】
【０００６】
【特許文献１】特開２００５−３２７９８１号公報
【考案の概要】
【考案が解決しようとする課題】
【０００７】
しかしながら、上記特許文献１に記載の技術は、電子機器を搭載する筐体をビスによる固定や溶接のよる接合等を行なうことなく、簡単に組立ができるものであるが、筐体を接合させる際に、弾性係合を可能とする複雑な構造に成形する必要があり製造工程が複雑となった。しかもさまざまな形状に対応させるためには、専用の治具を用意する必要があった。
【０００８】
上記の問題点に鑑み本考案者らは、既存の板金加工装置を使用することで、だれでもが簡単に組立ることが可能であり、多種多様な形状の反射板に対応できる組立反射板構造を提供するに至った。
【課題を解決するための手段】
【０００９】
本考案の反射板構造は、 複数のスリットと折罫が形成された上面板と、該上面板と長手方向に同一長さ、且つ幅方向に狭幅とされ複数のスリットが形成された下面板と、前記上面板と下面板とを対向して接続する複数の側板とから構成され、前記上面板及び下面板の一側には取付け用突片が複数形成され、また前記側板の前記上面板及び下面板と接続する他側は、それぞれ前記上面板及び下面板の幅方向形状に対応する形状に形成され、且つ前記複数のスリットに挿入する突片には切込みが形成されていることを第一の特徴とする。
【００１０】
また、前記上面板、下面板、側板の少なくとも一端面は何れも反射面であることを第二の特徴とする。
【考案の効果】
【００１１】
本考案に係る組立反射板構造によれば、複数のスリットと折罫が形成された上面板と、該上面板と長手方向に同一長さ、且つ幅方向に狭幅とされ複数のスリットが形成された下面板と、前記上面板と下面板とを対向して接続する複数の側板とから構成されており、上面板と下面板との間に複数の側板を配置し、上面板と下面板に形成されたスリットに、側板に設けられた突片をそれぞれ挿入し、この突片に形成された切込みによって突片を折り返して固定することによって、簡単に反射板構造ができるという効果を有する。
【００１２】
また、上面板、下面板、側板の少なくとも一端面は何れも反射面であり、上述した構造に組み立てるだけで簡単に最適な反射板構造が形成できるという効果を有する。
【図面の簡単な説明】
【００１３】
【図１】本考案に係る組立反射板構造の一実施例を示す説明図である。
【図２】本考案に係る組立反射板構造の斜視図である。
【図３】本考案に係る組立反射板構造の底面斜視図である。
【図４】本考案の組立反射板構造の使用状態を示す図である。
【考案を実施するための形態】
【００１４】
以下、本考案を実施例を示す図面を参照しながら説明するが、本考案が本実施例に限定されないことは言うまでもない。図１は、本考案の反射板構造の一実施例を示す説明図であり、図１（ａ）は上面板展開説明図、図１（ｂ）は側面展開説明図、図１（ｃ）は下面展開説明図、図２は本考案に係る反射板構造の斜視図、図３は本考案に係る反射板構造の底面斜視図、図４は本考案の組立反射板構造の使用状態を示す図である。
【実施例】
【００１５】
図１に示すように、本考案の組立反射板構造は、略８角形に形成され、長手方向に垂直あるいは所定の角度で穿設された複数のスリット部１と、幅方向に平行に形成された２本の折罫線２を有する上面板３と、上面板３と長手方向に同一長さ、且つ幅方向に狭幅で略６角形に形成され、長手方向に垂直あるいは所定の角度で穿設された複数のスリット部４を有する下面板５と、略７角形に形成され、その一側にスリット部１に対向し突設して形成された３個の上面側突片６と、他側にスリット部４に対向し突設して形成された２個の下面側突片７と、上面板３に形成された折罫線２と対応して形成された折罫線８とを有する側板９とから構成されており、上面板３と下面板６とを対向して配置し、その間に複数の側板９を配置すると共に、スリット部１、４に対向して形成された上面側突片６及び下面側突片７を挿入し、この挿入した突片６、７を切込み部１０を介して折り返すことによって固定される。尚、上面板３と下面板６の幅方向一側には後述するＬＥＤ基板の取付け用突片１１がそれぞれ複数突設されている。
【００１６】
上面板３、下面板６及び側板９はアルミ製板材からなり、その少なくとも一面には高反射率を有するコーティングが施されている。そして通常の板金加工に使用されるパンチング装置やレーザ加工機によって外形加工及びスリット加工がなされる。尚、このスリット加工で形成されたスリット部１、４の角度及び配置は側板９の２本の折罫線に沿った折角度によって適宜決定される。
【００１７】
図２及び図３は、図１で説明した本考案の組立反射板構造を示す斜視図であり、上面板３と下面板６の間に８枚の側板９を夫々高反射率にコーティングされた面を内側に配置して構成したものである。図に示すように、上面板３及び側板９は折罫線２、８に沿って夫々所定の角度で折られている。そして、上面板３と側板９とは上述したスリット部１と上面側突片６との係合によって固定され、また下面板６はスリット部４と下面側突片８との係合によって固定されている。尚、上面側突片６及び下面側突片７に夫々切込み部１０が形成されており、これら上面側突片６及び下面側突片７をスリット部１、４に挿入した後、切込み部１０に直交して折り返すことによって、簡単に係合して固定できる。
【００１８】
また図３に示すように、上面板３と下面板６には基板取付け用突片１１がそれぞれ３個突設されており、その中央には取付け孔部１２が穿設され、後述するＬＥＤ基板を取付け可能な角度に折り曲げられている。そして上面板３、下面板６及び複数の側板９によって形成された下側開口１３にＬＥＤ基板のＬＥＤ素子（図示せず）が配置される。
【００１９】
この構成からなる本考案の組立反射板構造は、上面板と下面板との間に複数の側板を配置し、上面板と下面板に形成されたスリットに、側板に設けられた突片をそれぞれ挿入し、この突片に形成された切込みによって突片を折り返して固定することによって、簡単に反射板構造ができる。
【００２０】
図４は、本考案の組立反射板構造を使用して照明器具１４として構成した状態を示している。図に示すように組立反射板構造の取付け用突片１１にはＬＥＤ基板１５がボルト（図示せず）によって固定されている。そしてＬＥＤ基板１２に実装されたＬＥＤ素子（図示せず）から照射される光は、上側開口１６から放出される。
【００２１】
以上、本考案の組立反射板構造によれば、複数のスリットと折罫が形成された上面板と、該上面板と長手方向に同一長さ、且つ幅方向に狭幅とされ複数のスリットが形成された下面板と、前記上面板と下面板とを対向して接続する複数の側板とから構成されており、上面板と下面板との間に複数の側板を配置し、上面板と下面板に形成されたスリットに、側板に設けられた突片をそれぞれ挿入し、この突片に形成された切込みによって突片を折り返して固定することによって、簡単に反射板構造ができる。
【符号の説明】
【００２２】
１、４          スリット部
２、５          折罫線
３              上面板
６              下面板
７              上面側突片
８              下面側突片
９              側板
１０              切込み部
１１              取付け用突片
１２              取付け孔部
１３              下側開口
１４              照明器具
１５              ＬＥＤ基板
１６              上側開口
【図１】
0003166247.tif 000003
【図２】
0003166247.tif 000004
【図３】
0003166247.tif 000005
【図４】
0003166247.tif 000006